(57)【要約】【課題】一例として、電極端子と電極部材との溶接に関してより不都合の少ない新規な構成の組電池を得る。【解決手段】実施形態の組電池は、複数の電池セルと、導電部材と、接合部と、を備えた。接合部は、一対の第一の辺部のうち一方に寄って位置されるとともに当該一方に沿って設けられた複数の溶接部、を有した第一の溶接部群と、一対の第一の辺部のうち他方に寄って位置されるとともに当該他方に沿って設けられた複数の溶接部、を有した第二の溶接部群と、一対の第二の辺部のうち一方に寄って位置されるとともに当該一方に沿って設けられた複数の溶接部、を有した第三の溶接部群と、一対の第二の辺部のうち他方に寄って位置されるとともに当該他方に沿って設けられた複数の溶接部、を有した第四の溶接部群と、を含んだ。【選択図】図９
2017079129.tif 000002
【特許請求の範囲】
【請求項１】
第一の面を有した電極端子が設けられた複数の電池セルと、
前記第一の面に重ねられた第二の面を有し、複数の前記電池セルの前記電極端子を電気的に接続した導電部材と、
前記第一の面と当該第一の面に重ねられた前記第二の面とを接合した複数の溶接部を有し、前記電極端子毎に設けられた接合部と、
を備え、
前記第一の面は、第一の方向に沿うとともに前記第一の方向と交差する第二の方向に互いに間隔を空けて位置された一対の第一の辺部と、前記第二の方向に沿うとともに前記第一の方向に互いに間隔を空けて位置された一対の第二の辺部と、が設けられた外周縁部を有し、
前記接合部は、
前記一対の第一の辺部のうち一方に寄って位置されるとともに当該一方に沿って設けられた複数の前記溶接部、を有した第一の溶接部群と、
前記一対の第一の辺部のうち他方に寄って位置されるとともに当該他方に沿って設けられた複数の前記溶接部、を有した第二の溶接部群と、
前記一対の第二の辺部のうち一方に寄って位置されるとともに当該一方に沿って設けられた複数の前記溶接部、を有した第三の溶接部群と、
前記一対の第二の辺部のうち他方に寄って位置されるとともに当該他方に沿って設けられた複数の前記溶接部、を有した第四の溶接部群と、
を含んだ、組電池。
【請求項２】
前記第一の溶接部群の前記溶接部の個数と前記第二の溶接部群の前記溶接部の個数とは、同じであり、
前記第一の溶接部群の前記複数の溶接部の前記第一の方向に関する位置関係と前記第二の溶接部群の前記複数の溶接部の前記第一の方向に関する位置関係とは、同じであり、
前記第三の溶接部群の前記溶接部の個数と前記第四の溶接部群の前記溶接部の個数とは、同じであり、
前記第三の溶接部群の前記複数の溶接部の前記第二の方向に関する位置関係と前記第四の溶接部群の前記複数の溶接部の前記第二の方向に関する位置関係とは、同じである、請求項１に記載の組電池。
【請求項３】
前記第一の溶接部群の前記複数の溶接部は、等間隔に位置され、
前記第二の溶接部群の前記複数の溶接部は、等間隔に位置され、
前記第三の溶接部群の前記複数の溶接部は、等間隔に位置され、
前記第四の溶接部群の前記複数の溶接部は、等間隔に位置された、請求項１または２に記載の組電池。
【請求項４】
前記接合部の前記複数の溶接部は、隣り合う前記溶接部を直線で結んだ線が四角形をなす位置に、位置された、請求項１〜３のいずれか一項に記載の組電池。
【請求項５】
前記接合部の前記複数の溶接部は、隣り合う前記溶接部を直線で結んだ線が八角形をなす位置に、位置された、請求項１〜３のいずれか一項に記載の組電池。
【請求項６】
前記導電部材には、前記第二の面を貫通した開口部が設けられ、
前記接合部の前記複数の溶接部は、前記開口部の周囲に位置された、請求項１〜５のいずれか一項に記載の組電池。
【請求項７】
前記電池セルは、
直方体状の筐体と、
前記筐体の外面に含まれ、互いに間隔を空けて位置された一対の長辺部と、前記一対の長辺部の長さ方向に互いに間隔を空けて位置され長さが前記長辺部よりも短い一対の短辺部と、が外周縁部に設けられた第三の面と、
を有し、
前記電極端子は、前記第三の面を貫通し、
前記第一の面は、前記筐体の外側に位置され、
前記第一の辺部は、前記長辺部に沿い、
前記第二の辺部は、前記短辺部に沿った、請求項１〜６のいずれか一項に記載の組電池。
【発明の詳細な説明】
【技術分野】
【０００１】
本発明の実施形態は、組電池に関する。
【背景技術】
【０００２】
従来、複数の電池セルの電極端子を電気的に接続する導電部材が電極端子に溶接された組電池が知られている。
【先行技術文献】
【特許文献】
【０００３】
【特許文献１】国際公開第２０１２／０６３３８１号公報
【特許文献２】特開２００４−８７４３８号公報
【特許文献３】特開平８−２８７８９８号公報
【発明の概要】
【発明が解決しようとする課題】
【０００４】
この種の組電池では、例えば、電極端子と電極部材との溶接に関してより不都合の少ない新規な構成が得られれば、好ましい。
【課題を解決するための手段】
【０００５】
実施形態の組電池は、複数の電池セルと、導電部材と、接合部と、を備えた。前記電池セルには、第一の面を有した電極端子が設けられた。前記導電部材は、前記第一の面に重ねられた第二の面を有し、複数の前記電池セルの前記電極端子を電気的に接続した。前記接合部は、前記第一の面と当該第一の面に重ねられた前記第二の面とを接合した複数の溶接部を有し、前記電極端子毎に設けられた。前記第一の面は、第一の方向に沿うとともに前記第一の方向と交差する第二の方向に互いに間隔を空けて位置された一対の第一の辺部と、前記第二の方向に沿うとともに前記第一の方向に互いに間隔を空けて位置された一対の第二の辺部と、が設けられた外周縁部を有した。前記接合部は、前記一対の第一の辺部のうち一方に寄って位置されるとともに当該一方に沿って設けられた複数の前記溶接部、を有した第一の溶接部群と、前記一対の第一の辺部のうち他方に寄って位置されるとともに当該他方に沿って設けられた複数の前記溶接部、を有した第二の溶接部群と、前記一対の第二の辺部のうち一方に寄って位置されるとともに当該一方に沿って設けられた複数の前記溶接部、を有した第三の溶接部群と、前記一対の第二の辺部のうち他方に寄って位置されるとともに当該他方に沿って設けられた複数の前記溶接部、を有した第四の溶接部群と、を含んだ。
【図面の簡単な説明】
【０００６】
【図１】図１は、実施形態の組電池を示す斜視図である。
【図２】図２は、実施形態の組電池の分解状態を示す断面斜視図である。
【図３】図３は、実施形態の組電池の上筐体部材等を取り外した状態の斜視図である。
【図４】図４は、実施形態の電池セルの斜視図である。
【図５】図５は、実施形態の組電池の内部構造の一部を示す断面斜視図である。
【図６】図６は、実施形態の組電池の内部構造の、導電部材を含む一部、を示す斜視図である。
【図７】図７は、実施形態の電池セルと導電部材とを示す断面図である。
【図８】図８は、実施形態の導電部材の一部を示す斜視図である。
【図９】図９は、実施形態の電池セルの電極端子の面を示す平面図である。
【図１０】図１０は、実施形態の導電部材の一部を示す斜視図である。
【図１１】図１１は、実施形態の電池セルの電極端子の面を示す平面図である。
【図１２】図１２は、実施形態の第一の変形例の電池セルの電極端子の面を示す斜視図である。
【図１３】図１３は、実施形態の第二の変形例の電池セルと導電部材とを示す断面図である。
【図１４】図１４は、実施形態の第二の変形例の電池セルの電極端子の面を示す平面図である。
【発明を実施するための形態】
【０００７】
以下、図面を参照して、実施形態および変形例について説明する。なお、以下の例示的な実施形態および変形例には、同様の構成要素が含まれている。よって、以下では、同様の構成要素には共通の符号が付されるとともに、重複する説明が省略される。また、以下の各図では、便宜上、方向（Ｘ方向、Ｙ方向、Ｚ方向）が規定されている。Ｘ方向、Ｙ方向、およびＺ方向は、互いに直交している。
【０００８】
また、以下に示される実施形態の構成、ならびに当該構成によってもたらされる作用および効果は、あくまで一例である。本発明は、以下の実施形態に開示される構成以外によっても実現可能であるとともに、基本的な構成によって得られる種々の効果のうち少なくとも一つを得ることが可能である。
【０００９】
＜実施形態＞
図１〜３に示すように、組電池１は、筐体１１と、複数の電池セル１２（図２，３）と、を備える。複数の電池セル１２は、筐体１１に収容されている。複数の電池セル１２は、導電部材１５（図２）によって電気的に接続されている。複数の電池セル１２の電力、すなわち組電池１の電力は、組電池１に設けられた一対の出力端子（不図示）を介して取り出し可能となっている。組電池１は、二次電池として構成されている。組電池１は、電池モジュールとも称され得る。また、電池セル１２は、単電池や電池とも称され得る。また、導電部材１５は、バスバーや接続部材、結合部材とも称され得る。
【００１０】
図３に示すように、複数の電池セル１２は、筐体１１の内部に行列状に配置されている。本実施形態では、一例として、それぞれ複数（一例として、１４個）の電池セル１２を含む複数（一例として、三つ）の電池列１３が、設けられている。各電池列１３の複数の電池セル１２は、二つ一組で並列に接続されて複数の並列電池部１４を構成している。並列電池部１４同士は、互いに直列に接続されており、並列電池部１４の二つの電池セル１２は、互いに電位が同じである。
【００１１】
図１〜３に示すように、筐体１１は、下筐体部材４１と、上筐体部材４２と、カバー４３，４４と、を有する。上筐体部材４２は、下筐体部材４１の上部に重ねられて下筐体部材４１と結合されている。カバー４３は、上筐体部材４２の上部に重ねられて上筐体部材４２と結合されている。カバー４４は、筐体１１の長手方向での下筐体部材４１の一端部（前部）に重ねられて下筐体部材４１と結合されている。また、筐体１１の内部には、下筐体部材４１と上筐体部材４２とに覆われた（囲まれた）収容室４５（空間）が設けられ、収容室４５に複数の電池セル１２が収容されている。収容室４５は、一例として、下筐体部材４１と上筐体部材４２とに渡って設けられている。筐体１１は、ケースとも称され得る。また、下筐体部材４１および上筐体部材４２は、筐体部材とも称され得る。
【００１２】
筐体１１の各部材（下筐体部材４１、上筐体部材４２、カバー４３，４４）は、電気的な絶縁性を有する。筐体１１の各部材は、合成樹脂材料によって構成されることにより、電気的な絶縁性を有してもよいし、金属材料の表面に絶縁材料がコーティングされることにより、電気的な絶縁性を有していてもよい。
【００１３】
下筐体部材４１は、基部４１ａと、張出部４１ｓと、を有する。基部４１ａは、上部が開放された略直方体の箱型に構成されている。基部４１ａは、底壁部４１ｂと、四つの側壁部４１ｃと、を有する。底壁部４１ｂは、矩形状に構成されている。底壁部４１ｂは、筐体１１の上下方向（Ｚ方向）と交差する方向（本実施形態では、一例として直交する方向、ＸＹ平面）に沿って延びている。四つの側壁部４１ｃは、底壁部４１ｂの四つの辺部（縁部）から上方に延びている。四つの側壁部４１ｃは、互いに接続されて矩形の筒部４１ｄを構成している。つまり、本実施形態では、筒部４１ｄの延び方向（筒の軸心方向、Ｚ方向）での筒部４１ｄの下端部に、底壁部４１ｂが設けられている。
【００１４】
また、図３，５に示すように、下筐体部材４１の基部４１ａの内部には、底壁部４１ｂと筒部４１ｄとに覆われた（囲まれた）収容室４１ｆ（空間）が設けられている。収容室４１ｆは、底壁部４１ｂと筒部４１ｄとによって形成された略矩形（四角形）の凹部である。収容室４１ｆは、収容室４５に含まれる。収容室４１ｆには、複数の電池セル１２が収容されている。また、基部４１ａは、収容室４１ｆ（収容室４５）を複数の領域に仕切る複数の仕切壁部４１ｇを有する。
【００１５】
また、図３に示すように、張出部４１ｓは、筐体１１の長手方向（Ｘ方向）での基部４１ａの端部から筐体１１の長手方向（Ｘ方向）に張り出している。
【００１６】
図１〜３に示すように、上筐体部材４２は、下筐体部材４１の収容室４１ｆを覆って、下筐体部材４１と結合されている。上筐体部材４２は、天壁部４２ｂと、四つの側壁部４２ｃと、を有する。
【００１７】
天壁部４２ｂは、収容室４１ｆ（収容室４５）の底壁部４１ｂとは反対側（上側）に位置され、収容室４１ｆ（収容室４５）および電池セル１２を覆っている。天壁部４２ｂは、底壁部４１ｂと向かい合っている。天壁部４２ｂは、矩形状に構成されている。天壁部４２ｂは、筐体１１の上下方向（Ｚ方向）と交差する方向（本実施形態では、一例として直交する方向、ＸＹ平面）に沿って延びている。また、天壁部４２ｂには、電池セル１２の正極端子２１Ａおよび負極端子２１Ｂが貫通しており、天壁部４２ｂの外面（上面）上に、複数の導電部材１５が配置されている。天壁部４２ｂから突出した正極端子２１Ａおよび負極端子２１Ｂと、導電部材１５とは、カバー４３によって覆われている。
【００１８】
四つの側壁部４２ｃは、天壁部４２ｂの四つの辺部（縁部）から筐体１１の上下方向に延びている。四つの側壁部４２ｃは、互いに接続されて矩形の筒部４２ｄを構成している。すなわち、本実施形態では、筒部４１ｄの延び方向（筒の軸心方向、Ｚ方向）での筒部４２ｄの中間部に、天壁部４２ｂが設けられている。また、上筐体部材４２は、収容室４５（上筐体部材４２）の内部を複数の領域に仕切る複数の仕切壁部４２ｇを有する。
【００１９】
図１〜３に示すように、上筐体部材４２は、結合部４６と結合部４７とによって下筐体部材４１と結合されている。結合部４６は、下筐体部材４１の筒部４１ｄと上筐体部材４２の筒部４２ｄとを機械的に結合している。結合部４７は、下筐体部材４１の底壁部４１ｂと上筐体部材４２の天壁部４２ｂとを機械的に結合している。上筐体部材４２は、下筐体部材４１に対して着脱可能である。
【００２０】
結合部４６は、下筐体部材４１の筒部４１ｄに設けられた引掛部４１ｊと、上筐体部材４２の筒部４２ｄに設けられた引掛部４２ｊと、を有する。詳細には、筒部４１ｄの各側壁部４１ｃに複数の引掛部４１ｊが設けられ、筒部４２ｄの各側壁部４２ｃの下部に複数の引掛部４２ｊが設けられている。各引掛部４１ｊには、孔４１ｊ１（開口部）が設けられている。また、各引掛部４２ｊは、爪形状に構成されている。引掛部４１ｊと引掛部４２ｊとは、引掛部４２ｊが孔４１ｊ１に入れられた状態で、上下方向に互いに引っ掛かることにより、筒部４１ｄと筒部４２ｄとを結合している。
【００２１】
図２に示すように、結合部４７は、下筐体部材４１の仕切壁部４１ｇに設けられた複数の引掛部４１ｋと、上筐体部材４２の仕切壁部４２ｇに設けられた複数の引掛部４２ｋと、を有する。引掛部４１ｋと引掛部４２ｋとは、上下方向に互いに引っ掛かることにより、仕切壁部４１ｇと、仕切壁部４２ｇとを機械的に結合している。結合部４７は、互いに隣り合う二つの電池セル１２の間に位置している。結合部４７は、互いに隣り合う二つの電池セル１２の間に、全体が位置していてもよいし一部だけが位置していてもよい。
【００２２】
下筐体部材４１と上筐体部材４２とを結合する場合、例えば、上筐体部材４２を下筐体部材４１の上方から下筐体部材４１に向けて移動させることにより、引掛部４１ｊ，４１ｋと引掛部４２ｊ，４２ｋとを互いに引っ掛けることができる。
【００２３】
また、筐体１１と電池セル１２との間には、弾性部材（不図示）が設けられ得る。弾性部材は、一例として、複数の気泡が設けられた多孔質の層である。弾性部材は、一例として、発泡塗料によって構成される。このような弾性部材を設ける場合には、例えば、スプレーノズル等によって発泡塗料を底壁部４１ｂの内面や天壁部４２ｂの内面に塗布する。そして、塗布した発泡材料に熱を加えることにより、発泡塗料が発泡して弾性を有するようになり、弾性を有した発泡材料によって弾性部材が構成される。弾性部材は、電池セル１２を筐体１１の内側に保持する保持部材や、筐体１１から電池セル１２に伝達される外力を緩衝する緩衝部材として機能し得る。
【００２４】
また、図１に示すように、本実施形態では、カバー４４には、端子カバー５０が取り付けられている。端子カバー５０は、組電池１の一対の出力端子を覆っている。
【００２５】
電池セル１２は、一例として、それぞれ、リチウムイオン二次電池として構成されている。なお、電池セル１２は、ニッケル水素電池や、ニッケルカドミウム電池、鉛蓄電池等、他の電池であってもよい。
【００２６】
図４に示すように、電池セル１２は、一例として、筐体２０と、正極端子２１Ａと、負極端子２１Ｂと、弁部２３と、を有している。筐体２０内には、一例として、電極体と電解液とが収容されている。電極体は、一例として、発電要素である正極シートおよび負極シートがセパレータを介してスパイラル状に巻かれて形成されうる。また、電極体は、一例として、正極シートおよび負極シートがセパレータを介して積層されて形成されうる。電極体の正極シートおよび負極シートに、正極端子２１Ａおよび負極端子２１Ｂがそれぞれ接続されている。なお、以後、正極端子２１Ａと負極端子２１Ｂとの総称として電極端子２１を用いる。
【００２７】
筐体２０は、一例として、Ｘ方向に薄い偏平な直方体状に構成されている。筐体２０は、正極端子２１Ａおよび負極端子２１Ｂが貫通した面２０ｈを有する。面２０ｈは、筐体２０の外面２０ｇに含まれる。面２０ｈは、長方形状に構成されている。面２０ｈは、筐体２０の高さ方向（Ｚ方向）と交差する方向（本実施形態では、例えば直交する方向、ＸＹ平面）に沿って延びている。面２０ｈの外周縁部２０ｉには、一対の長辺部２０ｉａ，２０ｉｃと、一対の短辺部２０ｉｂ，２０ｉｄと、が設けられている。一対の長辺部２０ｉａ，２０ｉｃは、いずれも、筐体２０の幅方向（長手方向、Ｙ方向）に沿って延びている。一対の長辺部２０ｉａ，２０ｉｃは、筐体２０の厚さ方向（短手方向、Ｘ方向）に互いに間隔を空けて位置されるとともに、互いに平行に設けられている。一対の短辺部２０ｉｂ，２０ｉｄは、いずれも、筐体２０の厚さ方向（Ｘ方向）に沿って延びている。一対の短辺部２０ｉｂ，２０ｉｄは、一対の長辺部２０ｉａ，２０ｉｃの間の領域２０ｊを間にして筐体２０の長さ方向（Ｙ方向）に互いに間隔を空けて位置されるとともに、互いに平行に設けられている。短辺部２０ｉｂ，２０ｉｄの長さは、長辺部２０ｉａ，２０ｉｃの長さよりも短い。面２０ｈは、天面や上面、端面とも称され得る。面２０ｈは、第三の面の一例である。
【００２８】
また、筐体２０は、複数の壁部２０ａ〜２０ｆを有する。壁部２０ａおよび壁部２０ｃは、いずれも、筐体２０の厚さ方向（Ｘ方向）と交差する方向（本実施形態では、例えば直交する方向、ＹＺ平面）に沿って延びている。壁部２０ａおよび壁部２０ｃは、筐体２０の厚さ方向（Ｘ方向）に間隔を空けて互いに平行に設けられている。また、壁部２０ｂおよび壁部２０ｄは、いずれも、筐体２０の幅方向（Ｙ方向）と交差する方向（本実施形態では、例えば直交する方向、ＸＺ平面）に沿って延びている。壁部２０ｂおよび壁部２０ｄは、筐体２０の幅方向（Ｙ方向）に間隔を空けて互いに平行に設けられている。壁部２０ａ〜２０ｄは、側壁部等とも称され得る。また、壁部２０ｅおよび壁部２０ｆは、いずれも、筐体２０の高さ方向（Ｚ方向）と交差する方向（本実施形態では、例えば直交する方向、ＸＹ平面）に沿って延びている。壁部２０ｅおよび壁部２０ｆは、筐体２０の高さ方向（Ｚ方向）に間隔を空けて互いに平行に設けられている。壁部２０ｆは、面２０ｈを有する。壁部２０ｆは、上壁部や天壁部等とも称され得る。また、壁部２０ｅは、下壁部や底壁部等とも称されうる。
【００２９】
また、筐体２０は、複数の部品（分割体）が組み合わせられて構成されることができる。具体的には、本実施形態では、筐体２０は、少なくとも壁部２０ａ〜２０ｅを含む筐体部材２４（ケース、下ケース、図４参照）と、少なくとも壁部２０ｆを含む筐体部材２５（カバー、蓋部、上ケース、図４参照）と、を有する。筐体部材２４は、一端側（上端側）が開放された直方体状の箱型に構成されている。筐体部材２５は、四角形状（長方形状）の板状に構成され、筐体部材２４の開口部を塞いだ状態で、筐体部材２４と結合（一体化）される。また、筐体部材２４と筐体部材２５とは、例えば溶接などによって気密および液密に結合されうる。筐体部材２４や筐体部材２５は、金属材料（例えば、アルミニウムや、アルミニウム合金、ステンレス等）や合成樹脂材料で構成されている。
【００３０】
正極端子２１Ａおよび負極端子２１Ｂは、壁部２０ｆ（筐体部材２５）に設けられている。詳細には、正極端子２１Ａは、壁部２０ｆ（面２０ｈ）の長手方向（Ｙ方向、電池セル１２の幅方向）の一端部に位置され、負極端子２１Ｂは、筐体部材２５の長手方向（Ｙ方向、電池セル１２の幅方向）の他端部に位置されている。正極端子２１Ａは、面２０ｈおよび壁部２０ｆを貫通した状態で設けられ、壁部２０ｆ（筐体２０）の内側で正極シートに結合されている。また、負極端子２１Ｂは、面２０ｈおよび壁部２０ｆを貫通した状態で設けられ、壁部２０ｆ（筐体２０）の内側で負極シートに結合されている。正極端子２１Ａおよび負極端子２１Ｂは、導電性材料によって構成されている。正極端子２１Ａおよび負極端子２１Ｂは、電極端子の一例である。
【００３１】
また、各電極端子２１は、それぞれ、ベース部２６と凸部２７とを有する。ベース部２６は、面２０ｈおよび壁部２０ｆを貫通した状態で設けられ、その一部は筐体２０の外側に位置されている。ベース部２６は、Ｚ方向の視線で、面２０ｈの長手方向に長い略長方形に構成されている。凸部２７は、ベース部２６から筐体２０の外側に向けて突出している。
【００３２】
凸部２７の先端部には、面２７ａが設けられている。面２７ａは、筐体２０の外側に位置されている。面２７ａは、面２０ｈと略平行に設けられている。面２７ａは、一例として略正四角形に構成されている。面２７ａは、筐体２０の高さ方向（Ｚ方向）と交差する方向（本実施形態では、例えば直交する方向、ＸＹ平面）に沿って延びている。面２７ａは、第一の面の一例である。
【００３３】
図４，９に示すように、面２７ａの外周縁部２７ｉには、複数（一例として四つ）の辺部２７ｉａ，２７ｉｂ，２７ｉｃ，２７ｉｄが設けられている。一対の辺部２７ｉａ，２７ｉｃは、いずれも、筐体２０の幅方向（長手方向、Ｙ方向）に沿って延びている。すなわち、一対の辺部２７ｉａ，２７ｉｃは、いずれも、長辺部２０ｉａ，２０ｉｃに沿って延びている。一対の辺部２７ｉａ，２７ｉｃは、筐体２０の厚さ方向（短手方向、Ｘ方向）に互いに間隔を空けて位置されるとともに、互いに平行に設けられている。一対の辺部２７ｉｂ，２７ｉｄは、いずれも、筐体２０の厚さ方向（Ｘ方向）に沿って延びている。すなわち、一対の辺部２７ｉｂ，２７ｉｄは、いずれも、短辺部２０ｉｂ，２０ｉｄに沿って延びている。一対の辺部２７ｉｂ，２７ｉｄは、一対の辺部２７ｉａ，２７ｉｃの間の領域２７ｊを間にして筐体２０の長さ方向（Ｙ方向）に互いに間隔を空けて位置されるとともに、互いに平行に設けられている。各辺部２７ｉａ，２７ｉｂ，２７ｉｃ，２７ｉｄの長さは、互いに略同じでる。辺部２７ｉａ，２７ｉｃは、第一の辺部の一例であり、辺部２７ｉｂ，２７ｉｄは、第二の辺部の一例である。また、Ｙ方向は、第一の方向の一例であり、Ｘ方向は、第二の方向の一例である。
【００３４】
また、図４に示すように、正極端子２１Ａと壁部２０ｆとの間、および負極端子２１Ｂと壁部２０ｆとの間には、それぞれ、絶縁部材２８が設けられている。絶縁部材２８は、合成樹脂材料やガラスなどの絶縁材料で構成されている。絶縁部材２８は、正極端子２１Ａおよび負極端子２１Ｂと壁部２０ｆとの間を電気的に絶縁している。
【００３５】
弁部２３は、正極端子２１Ａと負極端子２１Ｂとの間に設けられている。弁部２３は、筐体２０内の圧力が閾値よりも高くなった場合に開放され、当該筐体２０内の圧力を低下させる。
【００３６】
導電部材１５は、複数の電池セル１２の電極端子２１（正極端子２１Ａや負極端子２１Ｂ）を電気的に接続している。図５に示すように、本実施形態では、複数の導電部材１５には、互いに形状が異なる導電部材１５Ａ，１５Ｂが含まれる。導電部材１５は、バスバーや接続部材とも称され得る。
【００３７】
図６，７に示すように、導電部材１５Ａは、四つ（複数）の端子部３１Ａと、二つのブリッジ部３２Ａと、一つのブリッジ部３３Ａと、を有する。四つの端子部３１Ａは、Ｘ方向およびＹ方向に互いに間隔を空けて位置されている。Ｙ方向に並べられた一対の端子部３１Ａは、ブリッジ部３２Ａによって接続され、二つのブリッジ部３２Ａは、ブリッジ部３２Ｂによって接続されている。導電部材１５Ａは、例えば、一枚の板状の部材が三箇所（ブリッジ部３２Ａ，３３Ａ）で屈曲されることによって、形成されている。端子部３１Ａは、壁部とも称され、ブリッジ部３２Ａ，３３Ａは、亘部や接続部、屈曲部等とも称され得る。
【００３８】
四つの端子部３１Ａは、いずれも、略長方形（四角形状）の板状（帯状）に構成されている。四つの端子部３１Ａは、いずれも、Ｚ方向と交差（直交）する方向（Ｘ方向およびＹ方向）に沿っており、互いに平行に設けられている。また、四つの端子部３１Ａは、いずれも、正極端子２１Ａおよび負極端子２１Ｂのいずれか一方の面２７ａと重ねられて当該面２０ｈと接触する面３１ａを有する。面３１ａは、壁部２０ｆの面２０ｈと、正極端子２１Ａおよび負極端子２１Ｂの面２７ａと、略平行である。また、各面３１ａは、互いに略面一である。面３１ａは、第二の面の一例である。面３１ａは、接触面や下面とも称され得る。
【００３９】
また、各端子部３１Ａには、面３１ａおよび端子部３１ＡをＺ方向に沿って貫通した開口部３１ｒが設けられている。開口部３１ｒは、貫通孔として構成されている。開口部３１ｒの面３１ａおよび端子部３１Ａの貫通方向と直交する断面は、円形である。
【００４０】
また、各端子部３１Ａには、開口部３１ｒを間にしてＹ方向の両側に開口部３１ｓが設けられている。すなわち、端子部３１Ａには、一対の開口部３１ｓが互いにＹ方向に間隔を空けて設けられている。開口部３１ｓは、例えば、端子部３１ＡをＺ方向に沿って貫通した貫通孔として構成されている。そして、本実施形態では、例えば、導電部材１５Ａに設けられた複数の開口部３１ｓのうち少なくとも一つに、電池セル１２に設けられたピン２２が挿入されている。
【００４１】
また、各端子部３１Ａには、開口部３１ｔが設けられている。開口部３１ｔは、例えば、端子部３１ＡをＺ方向に沿って貫通するとともに、端子部３１Ａの外周縁部に開口した切欠として構成されている。本実施形態では、開口部３１ｔに、上筐体部材４２の天壁部４２ｂに設けられた突出部２９が挿入されている。端子部３１Ａは、突出部２９に引っ掛かることにより、天壁部４２ｂおよび電池セル１２に対してＸ方向およびＹ方向に位置決めされる。
【００４２】
ブリッジ部３２Ａは、四つの端子部３１ＡのうちＹ方向に離間して位置された一対の端子部３１Ａ間に渡って設けられている。ブリッジ部３２ＡのＹＺ平面に沿った断面は、Ｚ方向の反対側（下側、電池セル１２側）に向けて開放された略Ｕ字状に構成されている。また、ブリッジ部３３Ａは、Ｘ方向に離間して位置された一対のブリッジ部３２Ａ間に渡って設けられている。ブリッジ部３３ＡのＸＺ平面に沿った断面は、Ｚ方向に向けて開放された略Ｕ字状に構成されている。
【００４３】
図５に示すように、導電部材１５Ｂは、四つ（複数）の端子部３１Ｂと、三つのブリッジ部３２Ｂと、を有する。四つの端子部３１Ｂは、Ｘ方向に互いに間隔を空けて位置されている。Ｘ方向で隣り合う一対の端子部３１Ｂは、ブリッジ部３２Ｂによって接続され、ている。導電部材１５Ｂは、例えば、一枚の板状の部材が三箇所（ブリッジ部３２Ｂ）で屈曲されることによって、形成されている。端子部３１Ｂは、壁部とも称され、ブリッジ部３２Ｂは、亘部や接続部、屈曲部等とも称され得る。
【００４４】
四つの端子部３１Ｂは、いずれも、略長方形（四角形状）の板状（帯状）に構成されている。四つの端子部３１Ｂは、いずれも、Ｚ方向と交差（直交）する方向（Ｘ方向およびＹ方向）に沿っており、互いに平行に設けられている。また、四つの端子部３１Ｂは、いずれも、端子部３１Ａと同様に、正極端子２１Ａおよび負極端子２１Ｂのいずれか一方の面２０ｈと接触する面３１ａ（接触面、下面）を有する。また、端子部３１Ｂの各面３１ａは、互いに略面一である。
【００４５】
また、各端子部３１Ｂには、端子部３１Ａと同様に、一つの開口部３１ｒと、二つの３１ｓと、が設けられている。導電部材１５Ｂに設けられた複数の開口部３１ｓのうち少なくとも一つに、電池セル１２に設けられたピン２２が挿入されている。
【００４６】
また、複数の端子部３１Ａのうち一つ以上に、開口部３１ｕが設けられている。開口部３１ｕは、例えば、端子部３１ＡをＺ方向に沿って貫通した貫通孔として構成されている。開口部３１ｕには、突出部２９が挿入されている。端子部３１Ａは、突出部２９に引っ掛かることにより、天壁部４２ｂおよび電池セル１２に対してＸ方向およびＹ方向に位置決めされる。
【００４７】
図５，６に示すように、導電部材１５は、電極端子２１と、接合部６０Ａや接合部６０Ｂによって接合されている。以後、接合部６０Ａと接合部６０Ｂとの総称として接合部６０を用いる。接合部６０は、電極端子２１毎に一つずつ設けられている。
【００４８】
図８には、導電部材１５の面３１ａにおける接合部６０Ａが示され、図９には、電極端子２１の面２７ａにおける接合部６０Ａが示され、図１０には、導電部材１５の面３１ａにおける接合部６０Ｂが示され、図１１には、電極端子２１の面２７ａにおける接合部６０Ｂが示されている。接合部６０は、複数（一例として８個）の溶接部６１を有する。溶接部６１は、正極端子２１Ａまたは負極端子２１Ｂの面２７ａと、当該面２７ａに重ねられた導電部材１５の面３１ａと、を接合している。溶接部６１は、一例として、導電部材１５の面３１ａの反対側の面３１ｂに照射されたレーザによるスポット溶接によって形成されたものである。溶接部６１によって、電極端子２１と導電部材１５とが、機械的に接続（固定）されるとともに、電気的に接続されている。以後、複数の溶接部６１の区別のために、複数の溶接部６１を溶接部６１−１〜溶接部６１−Ｎ（Ｎは自然数：一例として８）として説明する場合もある。溶接部６１は、溶接痕とも称され得る。
【００４９】
接合部６０Ａと接合部６０Ｂとは、複数の溶接部６１の配置の一部が異なる。まずは、接合部６０Ａについて説明する。図９に示すように、接合部６０Ａの複数の溶接部６１は、隣り合う溶接部６１を結んだ線Ｌ１が四角形をなす位置に位置されている。別の言い方をすると、四角形（仮想四角形）の線Ｌ１上に溶接部６１が配置されている。線Ｌ１は、複数の溶接部６１の中心６１ａを結んでいる。線Ｌ１は、一例として正四角形をなす。また、接合部６０の複数の溶接部６１は、開口部３１ｒの周囲に位置されている。複数の溶接部６１は、開口部３１ｒを囲んでいる。つまり、線Ｌ１がなす四角形の内部に開口部３１ｒが位置されている。
【００５０】
接合部６０Ａは、溶接部６１−１，６１−２，６１−３を含んだ溶接部群６２ＡＡと、溶接部６１−３，６１−４，６１−５を含んだ溶接部群６２ＡＢと、溶接部６１−５，６１−６，６１−７を含んだ溶接部群６２ＡＣと、溶接部６１−７，６１−８，６１−１を含んだ溶接部群６２ＡＤと、を有する。溶接部群６２ＡＡの溶接部６１−１，６１−２，６１−３は、電極端子２１の面２７ａの一対の辺部２７ｉａ，２７ｉｃのうち一方（辺部２７ｉａ）に寄って位置されるとともに当該一方に沿って設けられている。溶接部群６２ＡＣの溶接部６１−５，６１−６，６１−７は、電極端子２１の面２７ａの一対の辺部２７ｉａ，２７ｉｃのうち他方（辺部２７ｉｃ）に寄って位置されるとともに当該他方に沿って設けられている。溶接部群６２ＡＢの溶接部６１−３，６１−４，６１−５は、電極端子２１の面２７ａの一対の辺部２７ｉｂ，２７ｉｄのうち一方（辺部２７ｉｂ）に寄って位置されるとともに当該一方に沿って設けられている。溶接部群６２ＡＤの溶接部６１−７，６１−８，６１−１は、電極端子２１の面２７ａの一対の辺部２７ｉｂ，２７ｉｄのうち他方（辺部２７ｉｄ）に寄って位置されるとともに当該他方に沿って設けられている。溶接部群６２ＡＡは、第一の溶接部群の一例であり、溶接部群６２ＡＣは、第二の溶接部群の一例であり、溶接部群６２ＡＢは、第三の溶接部群の一例であり、溶接部群６２ＡＤは、第四の溶接部群の一例である。
【００５１】
上記から分かるように、溶接部群６２ＡＡの溶接部６１の個数と、溶接部群６２ＡＢの溶接部の個数と、溶接部群６２ＡＣの溶接部６１の個数と、溶接部群ＡＤの溶接部６１の個数とは、同じ（それぞれ３個）である。また、本実施形態では、溶接部群６２ＡＡの複数の溶接部６１のＹ方向（第一の方向）に関する位置関係（例えば、辺部２７ｉｂを基準としたＹ方向の位置）と、溶接部群６２ＡＣの複数の溶接部６１のＹ方向（第一の方向）に関する位置関係（例えば、辺部２７ｉｂを基準としたＹ方向の位置）とは、同じである。また、溶接部群６２ＡＢの複数の溶接部６１のＸ方向（第二の方向）に関する位置関係（例えば、辺部２７ｉａを基準としたＸ方向の位置）と、溶接部群６２ＡＤの複数の溶接部６１のＸ方向（第二の方向）に関する位置関係（例えば、辺部２７ｉａを基準としたＸ方向の位置）とは、同じである。また、各溶接部群６２ＡＡ〜６２ＡＤでは、複数の溶接部６１は、等間隔に位置されている。なお、この場合の間隔は、中心６１ａ同士の間隔である。
【００５２】
次に、接合部６０Ｂについて説明する。図１１に示すように、接合部６０Ｂの複数の溶接部６１は、隣り合う複数の溶接部６１（の中心６１ａ）を結んだ線Ｌ２が八角形をなす位置に位置されている。別の言い方をすると、八角形（仮想八角形）の線上に溶接部６１が配置されている。線Ｌ２は、一例として正八角形をなす。また、接合部６０Ｂの複数の溶接部６１は、開口部３１ｒの周囲に位置されている。複数の溶接部６１は、開口部３１ｒを囲んでいる。つまり、線Ｌ２がなす八角形の内部に開口部３１ｒが位置されている。
【００５３】
接合部６０Ｂは、溶接部６１−１，６１−２を含んだ溶接部群６２ＢＡと、溶接部６１−３，６１−４を含んだ溶接部群６２ＢＢと、溶接部６１−５，６１−６を含んだ溶接部群６２ＢＣと、溶接部６１−７，６１−８を含んだ溶接部群６２ＢＤと、を有する。溶接部群６２ＢＡの溶接部６１−１，６１−２は、電極端子２１の面２７ａの一対の辺部２７ｉａ，２７ｉｃのうち一方（辺部２７ｉａ）に寄って位置されるとともに当該一方に沿って設けられている。溶接部群６２ＢＣの溶接部６１−５，６１−６は、電極端子２１の面２７ａの一対の辺部２７ｉａ，２７ｉｃのうち他方（辺部２７ｉｃ）に寄って位置されるとともに当該他方に沿って設けられている。溶接部群６２ＢＢの溶接部６１−３，６１−４は、電極端子２１の面２７ａの一対の辺部２７ｉｂ，２７ｉｄのうち一方（辺部２７ｉｂ）に寄って位置されるとともに当該一方に沿って設けられている。溶接部群６２ＢＤの溶接部６１−７，６１−８は、電極端子２１の面２７ａの一対の辺部２７ｉｂ，２７ｉｄのうち他方（辺部２７ｉｄ）に寄って位置されるとともに当該他方に沿って設けられている。溶接部群６２ＢＡは、第一の溶接部群の一例であり、溶接部群６２ＢＣは、第二の溶接部群の一例であり、溶接部群６２ＢＢは、第三の溶接部群の一例であり、溶接部群６２ＢＤは、第四の溶接部群の一例である。
【００５４】
上記から分かるように、溶接部群６２ＢＡの溶接部６１の個数と、溶接部群６２ＢＢの溶接部６１の個数と、溶接部群６２ＢＣの溶接部６１の個数と、溶接部群６２ＢＤの溶接部６１の個数とは、同じ（それぞれ２個）である。また、本実施形態では、溶接部群６２ＢＡの複数の溶接部６１のＹ方向（第一の方向）に関する位置関係（例えば、辺部２７ｉｂを基準としたＹ方向の位置）と、溶接部群６２ＢＣの複数の溶接部６１のＹ方向（第一の方向）に関する位置関係（例えば、辺部２７ｉｂを基準としたＹ方向の位置）とは、同じである。また、溶接部群６２ＢＢの複数の溶接部６１のＸ方向（第二の方向）に関する位置関係（例えば、辺部２７ｉａを基準としたＸ方向の位置）と、溶接部群６２ＢＤの複数の溶接部６１のＸ方向（第二の方向）に関する位置関係（例えば、辺部２７ｉａを基準としたＸ方向の位置）とは、同じである。また、各溶接部群６２ＢＡ〜６２ＢＤでは、複数の溶接部６１は、等間隔に位置されている。なお、この場合の間隔は、中心６１ａ同士の間隔である。
【００５５】
以上、説明したように、本実施形態では、接合部６０Ａにおいては、溶接部群６２ＡＡの複数の溶接部６１は、電極端子２１の面２７ａの一対の辺部２７ｉａ，２７ｉｃのうち一方（辺部２７ｉａ）に寄って位置されるとともに当該一方に沿って設けられ、溶接部群６２ＡＣの複数の溶接部６１は、電極端子２１の面２７ａの一対の辺部２７ｉａ，２７ｉｃのうち他方（辺部２７ｉｃ）に寄って位置されるとともに当該他方に沿って設けられ、溶接部群６２ＡＢの複数の溶接部６１は、電極端子２１の面２７ａの一対の辺部２７ｉｂ，２７ｉｄのうち一方（辺部２７ｉｂ）に寄って位置されるとともに当該一方に沿って設けられ、溶接部群６２ＡＤの複数の溶接部６１は、電極端子２１の面２７ａの一対の辺部２７ｉｂ，２７ｉｄのうち他方（辺部２７ｉｄ）に寄って位置されるとともに当該他方に沿って設けられている。また、接合部６０Ｂにおいては、溶接部群６２ＢＡの複数の溶接部６１は、電極端子２１の面２７ａの一対の辺部２７ｉａ，２７ｉｃのうち一方（辺部２７ｉａ）に寄って位置されるとともに当該一方に沿って設けられ、溶接部群６２ＢＣの複数の溶接部６１は、電極端子２１の面２７ａの一対の辺部２７ｉａ，２７ｉｃのうち他方（辺部２７ｉｃ）に寄って位置されるとともに当該他方に沿って設けられ、溶接部群６２ＢＢの複数の溶接部６１は、電極端子２１の面２７ａの一対の辺部２７ｉｂ，２７ｉｄのうち一方（辺部２７ｉｂ）に寄って位置されるとともに当該一方に沿って設けられ、溶接部群６２ＢＤの複数の溶接部６１は、電極端子２１の面２７ａの一対の辺部２７ｉｂ，２７ｉｄのうち他方（辺部２７ｉｄ）に寄って位置されるとともに当該他方に沿って設けられている。よって、例えば、複数の溶接部６１が辺部２７ｉａ，２７ｉｂ，２７ｉｃ，２７ｉｄに沿って複数の接合部６０が設けられているので、電池セル１２の発熱や外部からの振動等によって電極端子２１と導電部材１５とが相対移動しようとする場合、複数の溶接部６１に荷重が分散して伝達されやすい。よって、ある方向から荷重によって接合部６０のある溶接部６１に応力が集中することが抑制されやすい。つまり、接合部６０の強度を高めやすい。また、接合部６０が複数の溶接部６１によって構成されているので、例えば比較的溶接の品質の安定化が難しい一つの連続溶接によって接合部が構成される場合に比べて、接合部６０の溶接の品質が安定しやすい。したがって、溶接状態がより良好な接合部６０を得やすい。すなわち、本実施形態では、接合部６０の溶接の品質の安定化がしやすいとともに、接合部６０の強度を高めやすい。
【００５６】
また、本実施形態では、溶接部６１がレーザ溶接によって形成される場合、各溶接部群６２ＡＡ〜ＡＤ，６２ＢＡ〜６２ＢＤでは、レーザ光を直線状に移動させることで複数の溶接部６１を形成することができる。よって、溶接部６１の形成時間の短時間化がしやすい。また、スポット溶接装置は、連続溶接装置に比べて汎用性があるので、溶接コストの低減がしやすい。
【００５７】
＜第一の変形例＞
図１２に示される本変形例では、接合部６０Ａの各溶接部群６２ＡＡ〜６２ＡＤの溶接部６１の個数が四つである。よって、接合部６０Ａの各溶接部群６２Ａ〜６２Ｄの個数が三個以下の場合に比べて、接合部６０Ａの強度が高くなりやすい。
【００５８】
＜第二の変形例＞
図１３，１４に示される本変形例では、電池セル１２の電極端子２１には、ベース部２６は設けられているが凸部２７（図７）は設けられていない。すなわち、電極端子２１における筐体２０の外側に位置された面（上面）は、ベース部２６における筐体２０の外側に位置された面２６ａ（上面）によって構成されており、平面である。面２６ａは、上述の実施形態の面２７ａと同様に、導電部材１５の面３１ａと重ねられて面３１ａと溶接されている。面２６ａは、上述の実施形態の面２７ａ（図９）と同様に、外周縁部２６ｉに、四つの辺部２６ｉａ，２６ｉｂ，２６ｉｃ，２６ｉｄを有する。辺部２６ｉａ，２６ｉｂ，２６ｉｃ，２６ｉｄは、面２７ａの辺部２７ｉａ，２７ｉｂ，２７ｉｃ，２７ｉｄと同様の構成である。ただし、本変形例では、辺部２６ｉａ，２６ｉｃの長さは、辺部２６ｉｂ，２６ｉｄの長さよりも長い。また、面２６ａの四つの角部は、湾曲状である。面２６ａは、第一の面の一例であり、辺部２６ｉａ，２６ｉｃは、第一の辺部の一例であり、辺部２６ｉｂ，２６ｉｄは、第二の辺部の一例である。
【００５９】
なお、以上の説明で、いくつかの構成要素に、「第一」、「第二」等の数字を付したが、これらの数字は説明の便宜上、付したものであり、これらの数字は適宜入れ替え等をすることができる。
【００６０】
本発明の実施形態および変形例を説明したが、これらの実施形態および変形例は、例として提示したものであり、発明の範囲を限定することは意図していない。これら新規な実施形態および変形例は、その他の様々な形態で実施されることが可能であり、発明の要旨を逸脱しない範囲で、種々の省略、置き換え、変更を行うことができる。これら実施形態および変形例は、発明の範囲や要旨に含まれるとともに、特許請求の範囲に記載された発明とその均等の範囲に含まれる。例えば、各溶接部群の溶接部の個数は、５個以上であってもよい。
【符号の説明】
【００６１】
１…組電池、１２…電池セル、２０…筐体、２０ｇ…外面、２０ｈ…面（第三の面）、２０ｉａ，２０ｉｃ…長辺部、２０ｉｂ，２０ｉｄ…短辺部、２１…電極端子、２６ａ，２７ａ…面（第一の面）、２６ｉ，２７ｉ…外周縁部、２６ｉａ，２６ｉｃ，２７ｉａ，２７ｉｃ…辺部（第一の辺部）、２６ｉｂ，２６ｉｄ，２７ｉｂ，２７ｉｄ…辺部（第二の辺部）、１５…導電部材、３１a…面（第二の面）、３１ｒ…開口部、６０…接合部、６１…溶接部、６２ＡＡ…溶接部群（第一の溶接部群）、６２ＡＢ…溶接部群（第三の溶接部群）、６２ＡＣ…溶接部群（第二の溶接部群）、６２ＡＤ…溶接部群（第四の溶接部群）、６２ＢＡ…溶接部群（第一の溶接部群）、６２ＢＢ…溶接部群（第三の溶接部群）、６２ＢＣ…溶接部群（第二の溶接部群）、６２ＢＤ…溶接部群（第四の溶接部群）、Ｌ１，Ｌ２…線。
【図１】
2017079129.tif 000003
【図２】
2017079129.tif 000004
【図３】
2017079129.tif 000005
【図４】
2017079129.tif 000006
【図５】
2017079129.tif 000007
【図６】
2017079129.tif 000008
【図７】
2017079129.tif 000009
【図８】
2017079129.tif 000010
【図９】
2017079129.tif 000011
【図１０】
2017079129.tif 000012
【図１１】
2017079129.tif 000013
【図１２】
2017079129.tif 000014
【図１３】
2017079129.tif 000015
【図１４】
2017079129.tif 000016